(57)【要約】【課題】狭トラック化された追記型または書換型の情報記録媒体において、クロストークによるウォブル信号の振幅変動の少ない情報記録媒体を提供する。【解決手段】所定のウォブル周期Ｔで蛇行した記録トラックがトラックピッチＰでスパイラル状に形成されており、前記ウォブルの主たるエリアは同位相で形成され、それ以外のエリアは別位相で形成された追記または書換え可能な情報記録媒体おいて、任意のトラックにおける前記主たるエリアのウォブル位相に対して、隣接する一方のトラックの前記主たるエリアのウォブルの位相差をΔ１、隣接する他方のトラックの前記主たるエリアのウォブルの位相差をΔ２とした時、(２πP/T-0.05)×2πrad.≦ｌΔ１ｌ＋ｌΔ２ｌ≦(0.5+２πP/T+0.05)×2πrad.の範囲でｌΔ１ｌ＋ｌΔ２ｌが制御する。【選択図】  図１
2008016123.tif 000002
【特許請求の範囲】
【請求項１】
所定のウォブル周期Ｔで蛇行した記録トラックがトラックピッチＰでスパイラル状に形成されており、前記ウォブルの主たるエリアは同位相で形成され、それ以外のエリアは別位相で形成され、情報の追記または書換え可能な情報記録媒体おいて、任意のトラックにおける前記主たるエリアのウォブル位相に対して、隣接する一方のトラックの前記主たるエリアのウォブルの位相差をΔ１、隣接する他方のトラックの前記主たるエリアのウォブルの位相差をΔ２とした時、(２πP/T-0.05)×2πrad.≦ｌΔ１ｌ＋ｌΔ２ｌ≦(1+２πP/T+0.05)×2πrad.の範囲でｌΔ１ｌ＋ｌΔ２ｌが制御されている事を特徴とする情報記録媒体。
【請求項２】
請求項１記載の情報記録媒体において、  上記ウォブル周期Ｔと記録データのチャネルビット長ｂとの間に、
Ｔ＞８０ｂ
の関係が成立する事を特徴とする情報記録媒体。
【請求項３】
請求項１記載の情報記録媒体を用いて、情報の記録再生を行う情報記録再生システムにおいて、前記ウォブルの主たるエリアにおけるウォブル信号の再生レベル最小値と最大値の比が２．４以下に制御されている事を特徴とする情報記録再生システム
【請求項４】
請求項１記載の情報記録媒体において、前記トラックピッチが０．４μｍ以下であり、前記ウォブル周期Ｔが９μｍ以上であり、かつＮＡ０．６５以上、再生レーザ波長４１０ｎｍ以下の情報記録再生装置で再生したときの前記ウォブルの主たるエリアにおけるウォブル信号の再生レベル最小値と最大値の比が２．４以下に制御されている事を特徴とする情報記録媒体。
【発明の詳細な説明】
【技術分野】
【０００１】
本発明は、情報記録媒体及び情報記録再生装置並びに記録トラックの位相調整方法に関し、特に、ウォブル溝を有する高密度記録可能な情報記録媒体及び情報記録再生システム並びに記録トラックの位相調整方法に関する。
【背景技術】
【０００２】
情報記録媒体の一つである光ディスクの分野では、スタンパに予め形成されたプリピットを成型プロセスで転写させるだけで大容量の記録情報が安価で複製できるＣＤやＤＶＤ等のＲＯＭ媒体が広く普及している。また、ＲＯＭ媒体と再生互換を有するＣＤ−Ｒ，ＤＶＤ−Ｒ等の追記型やＣＤ−ＲＷ，ＤＶＤ−ＲＷ等の書き換え型媒体も同様に広く普及している。
【０００３】
しかしながら、情報記録媒体の技術分野では、情報化社会の進展と共に記録密度の向上がますます重要な技術的課題になっている。そこで、情報トラックに沿った線記録密度の改善とトラックピッチの狭小化とにより面記録密度の改善を図るために、記録再生時のレーザ光源に青紫レーザを用い、レーザ波長を短くすることによりレーザ光のスポット径を縮小化して、記録密度の向上を図った光ディスク、例えばＨＤ  ＤＶＤの媒体規格等が提案されている。
【０００４】
ＨＤ  ＤＶＤのうち書換型媒体では、トラックピッチ４００ｎｍの狭トラック化が実現され、追記型あるいは書換型のＨＤ  ＤＶＤに対しては、波長４０５ｎｍのレーザ光源及び対物レンズの開口数０．６５の対物レンズを備えた情報記録再生装置で、情報が記録される。この際、ＰＲＭＬ（パーシャルレスポンスと最尤符号の組み合わせ）を採用することにより、最短ビット長約１５０ｎｍの高線密度を実現することができ、ＣＤサイズで記録容量１５ＧＢの大容量化が達成されている。
【０００５】
一方、ＨＤ  ＤＶＤのうち再生専用のＲＯＭ媒体では、情報を凹凸ピットで記録し、追記型あるいは書換型のＨＤ  ＤＶＤと同様にＣＤサイズで記録容量１５ＧＢの大容量化が達成されている。
【０００６】
上述のＨＤ  ＤＶＤのＲＯＭ媒体と互換性を確保しつつ、追記または書換型のＨＤ  ＤＶＤを実現するためには、未記録でもアドレスを認識する必要がある。従来、予め決められた法則に従い、溝を蛇行させることにより情報記録媒体のアドレスを表現する方式が提案されている（例えば、特許文献１参照）。
【０００７】
アドレスを表現するためのウォブルの変調方式は、簡単で且つ検出精度が高い位相変調が望ましい。このような方式は、ＣＤと同一サイズであり、記録容量４．７ＧＢを有するＤＶＤ＋Ｒ、ＤＶＤ＋ＲＷディスク等に採用されている。
【０００８】
【特許文献１】特開２０００−１６３８０９号公報
【発明の開示】
【発明が解決しようとする課題】
【０００９】
ユーザの利便性を考えると、上述したＨＤ  ＤＶＤのＲＯＭ媒体と再生互換を有する追記型または書換型のＨＤ  ＤＶＤの実現は必須である。しかしながら、このような追記型または書換型のＨＤ  ＤＶＤを実現するためには、仕様上の問題や狭トラック化に伴い発生する問題（クロストーク等の問題）など様々な問題を解決する必要がある。そこで、本発明の目的は、追記型または書換型のＨＤ  ＤＶＤのような高密度記録可能な（狭トラック化された）情報記録媒体に最適な記録トラックを有する情報記録媒体及びその記録再生装置を提供することである。
【課題を解決するための手段】
【００１０】
本発明の第１の態様に従えば、  所定のウォブル周期Ｔで蛇行した記録トラックがトラックピッチＰでスパイラル状に形成されており、前記ウォブルの主たるエリアは同位相で形成され、それ以外のエリアは別位相で形成され、情報の追記または書換え可能な情報記録媒体おいて、任意のトラックにおける前記主たるエリアのウォブル位相に対して、隣接する一方のトラックの前記主たるエリアのウォブルの位相差をΔ１、隣接する他方のトラックの前記主たるエリアのウォブルの位相差をΔ２とした時、(２πP/T-0.05)×2πrad.≦ｌΔ１ｌ＋ｌΔ２ｌ≦(1+２πP/T+0.05)×2πrad.の範囲でｌΔ１ｌ＋ｌΔ２ｌが制御されている。
また、上記条件は、上記ウォブル周期Ｔと記録データのチャネルビット長ｂとの間に、Ｔ＞８０ｂの関係が成立するときに、有効である。
【００１１】
また、情報の記録再生を行う情報記録再生システムにおいて、前記ウォブルの主たるエリアにおけるウォブル信号の再生レベル最小値と最大値の比が２．４以下に制御する様な構成にする。
【００１２】
さらに、前記トラックピッチが０．４μｍ以下であり、前記ウォブル周期Ｔが９μｍ以上であり、かつＮＡ０．６５以上、再生レーザ波長４１０ｎｍ以下の情報記録再生装置で再生したときの前記ウォブルの主たるエリアにおけるウォブル信号の再生レベル最小値と最大値の比が２．４以下に制御する。
【００１３】
ＨＤ  ＤＶＤにおいて、ＲＯＭ媒体との互換性を確保しつつ、追記型または書換型媒体を実現するためには、上述のように未記録でも情報記録媒体のアドレスを認識する必要があり、そのためには予め決められた法則に従い、トラック溝を蛇行させて、情報記録媒体のアドレスを表現する方式を採用することが好ましい。また、追記型のＨＤ  ＤＶＤにおけるアドレス検出の簡素化のためには、ＤＶＤ＋Ｒ等で採用されている位相変調型のウォブルアドレス表記を採用することが好ましい。さらに、追記型のＨＤ  ＤＶＤでは、ＨＤ  ＤＶＤのＲＯＭ媒体との互換性を確保するためにはＣＬＶ記録が望ましい。
【００１４】
しかしながら、記録方式にＣＬＶ記録を採用した場合、径方向に隣接するトラック間で様々なウォブルの位相関係が存在する。また、追記型のＨＤ  ＤＶＤの溝間隔を、ＨＤ  ＤＶＤのＲＯＭ媒体に合わせて、０．４μｍ程度に狭トラック化すると、隣接トラックからのクロストークの影響が大きくなる。それゆえ、ＣＬＶ記録を採用した追記型のＨＤ  ＤＶＤでは、径方向に隣接するトラック間で様々なウォブルの位相関係が存在するので、媒体内の位置によりクロストークの影響の度合いも異なるという問題が生じる。
【００１５】
上記問題を図３を用いて具体的に説明すると、狭トラック化された媒体にＣＬＶ記録した場合、例えば、図３（ａ）に示すようなウォブル溝からウォブル信号を検出すると、理想的なウォブル信号波形は図３（ｂ）に示すような信号波形となる。なお、図３（ａ）中の主たる領域１０のウォブル位相に対してウォブル位相が反転している領域２１が存在するが、主たる領域１０とそれに対して位相が反転している領域１１の組み合わせでアドレスが記録されている。しかしながら、上述のようにＣＬＶ記録では情報記録媒体内の位置によっては、径方向に隣接するトラック間におけるウォブルの位相関係は異なるので、隣接トラックからのクロストークの影響も異なる。それゆえ、同じウォブルパターンの記録トラックであっても、情報記録媒体内の位置によっては、図３（ｃ）に示すようなウォブル信号が検出されたり、図３（ｄ）に示すようなウォブル信号が検出されたりする。すなわち、例えば図３中の領域１０から得られるウォブル信号の振幅が、情報記録媒体内の位置によって大きく変動する。具体的には、ウォブル信号振幅の最小値と最大値の比率が最大で約３倍になることが分かった。
【００１６】
また、図３（ｃ）及び（ｄ）に示すように、情報記録媒体内の位置によっては、ウォブル信号の振幅が大きく変動する原因について詳しく解析した結果、所定の記録トラックのウォブル位相と、その径方向の両側に隣接する記録トラックのウォブル位相とが、図２（ｃ）で示されるように、ほぼ同位相の場合にウォブル信号の振幅が最小になり、図２（ｄ）で示されるように、ほぼ逆位相の場合にはウォブル信号の振幅が最大になることが分かった。
【００１７】
さらに、所定の記録トラックをトラックｎとし、その内周側及び外周側に隣接する記録トラックをそれぞれトラックｎ−１及びトラックｎ＋１として、幾何解析を行った結果、トラックｎ−１からトラックｎに至るスパイラルトラックのトラック長Ｌ０と、トラックｎからトラックｎ＋１に至るスパイラルトラックのトラック長Ｌ１がウォブル周期Ｔのほぼ整数倍となる時、所定の記録トラックのウォブル位相とその記録トラックの径方向の両側に隣接する記録トラックのウォブル位相とがほぼ同位相になることが分かった。
【００１８】
上述のような径方向に隣接する記録トラック間のウォブルの位相関係により生ずる問題（クロストークの問題）を解決するためのひとつの方法としては、トラックピッチをＰとした場合に、ウォブル周期Ｔを約４πＰ程度にする方法が挙げられる。ウォブル周期ＴとトラックピッチＰとの間にこのような条件を満足させることにより、ある任意の記録トラックｎにおいて、内周側のトラックｎ−１からトラックｎにいたるスパラル状のトラック長さＬ０がウォブル周期Ｔの整数倍になったとしても、幾何学的にはトラックｎからトラックｎ＋１に至るスパイラルトラックのトラック長Ｌ１はＬ１＝Ｌ０＋２πＰ＝Ｌ０＋Ｔ／２となるので、トラックｎのウォブル位相とトラックｎ＋１のウォブル位相とは逆位相になる。
【００１９】
それゆえ、ウォブル周期ＴとトラックピッチＰとの間に上述のような条件（Ｔ≒４πＰ）を満足させることにより、所定トラックのウォブル位相とその径方向に隣接する両側トラックのウォブル位相とがともにほぼ同位相あるいは逆位相になることが無いので、情報記録媒体全域に渡ってクロストークの影響を均一化することができ、クロストークによるウォブル信号の振幅変動を低減することができる。このウォブルの構成条件をトラックピッチＰが０．４μｍである追記型のＨＤ  ＤＶＤに採用すると、ウォブル周期ＴをＴ≒４πＰ＝５μｍとすることによりウォブル信号の振幅変動を低減することができる。
【００２０】
一方、上述したように追記型のＨＤ  ＤＶＤでは、高記録密度を確保するために、パーシャルレスポンス方式を採用しているが、この場合、ウォブル周期Ｔが短くなると、次のような問題が生じる。パーシャルレスポンス方式は、和信号のレベルを多値化して信号記録密度を向上させるものであるので、和信号のレベル変動を低く押さえる必要がある。それゆえ、記録トラックにウォブルが形成されていると、そのウォブル周期で和信号がレベル変動して、誤検出を生じさせるおそれがある。そのような誤検出を防止するためには、ウォブルによる和信号のレベル変動をハイパスフィルターで除去する必要がある。しかしながら、そのためにはデータ信号の周波数に対して、ウォブル信号の周波数を十分低くする必要がある。
【００２１】
ＨＤ  ＤＶＤでは、パーシャルレスポンスＰＲ（１，２，２，２，１）を採用し、且つ変調方式はＥＴＭ変調を採用している。それゆえ、最長のデータ長は１１ｂ（ｂはチャネルビット長）となり、長さ１１ｂのマークと長さ１１ｂのスペースの周期信号、すなわち、最長約２０ｂ程度のデータの周期信号が発生する。ハイパスフィルターで、データの周期信号を完全に透過させ、且つウォブル信号を完全に遮断するための条件としては、ハイパスフィルターのカットオフ周波数をデータの最長周期の約２倍とし、且つウォブル周期の約１／２にすることが好ましい。それゆえ、ウォブル周期をＴとすると、ウォブル周期Ｔをデータの最長周期（２０ｂ）の約４倍以上、すなわち、ウォブル周期Ｔ≧８０ｂの関係を満足させることが望ましい。
【００２２】
１５ＧＢの記録容量を有する追記型ＨＤ  ＤＶＤでは、ビット長が１５０ｎｍとなるが、ＥＴＭ変調を採用しているのでチャネルビット長ｂはビット長の２／３倍である１００ｎｍとなる。それゆえ、上述したパーシャルレスポンス方式を採用した際の問題を解決するためには、ウォブル周期Ｔを８０ｂ＝８０００ｎｍ＝８μｍ以上とする必要がある。しかしながら、上述したようにクロストークによるウォブル信号の振幅変動の低減条件はウォブル周期Ｔ≒５μｍであるので、両者の条件を同時に満足させることができない。すなわち、追記型ＨＤ  ＤＶＤでは、クロストークによるウォブル信号の振幅変動を低減するためにウォブル周期Ｔ≒５μｍとすると、データ信号とウォブル信号を完全に帯域分離することができない。そのため、ＨＤ  ＤＶＤでは、データ信号とウォブル信号を完全に帯域分離するために、ウォブル周期Ｔを約９μｍとし、クロストークによるウォブル信号の振幅変動が大きくなりやすい状態になっており、場合によっては、クロストークによるウォブル信号の振幅変動（ウォブル信号の再生レベルの最小値の最大値の比）が２．４倍を超え、情報記録再生装置での正確なウォブル信号検出が困難となる。
【００２３】
本発明は上記課題を解決するためになされたものであり、本発明の目的は、高密度記録可能な（狭トラック化された）追記型または書換型の情報記録媒体において、パーシャルレスポンス方式を採用するためにウォブル周期Ｔを比較的大きくしても、クロストークによるウォブル信号の振幅変動が低減できる情報記録媒体を提供することである。
【００２４】
本発明の情報記録媒体は、所定のウォブル周期Ｔ（μｍ）で蛇行した記録トラックがスパイラル状に形成された追記または書換え可能な情報記録媒体である。また、本発明の情報記録媒体は、例えば、図４に示すように、記録トラックが複数のゾーンから構成され、各ゾーンには、主に一部のウォブル領域の位相が反転している領域11と、ウォブル位相が反転しない領域、すなわち、所定のウォブル位相でウォブルが形成されている領域10とから構成される。
【００２５】
本明細書では、ゾーン内の大部分を占める所定のウォブル位相（順相）で形成されたウォブル領域を主たるエリアと呼ぶ。例えば、図４の例では、領域が主たるエリアとなる。それらの領域11すなわちウォブル位相が逆相となる領域は主たるエリアには含まれない。
【００２６】
本発明の情報記録媒体では、パーシャルレスポンス方式を採用するために記録トラックのウォブル周期をＴ（μｍ）を追記または書換え可能なデータのチャネルビット長ｂ（μｍ）に対して十分長くした場合であっても、具体的にはＴ＞８０ｂとした場合であっても、クロストークによるウォブル信号の振幅変動が２．４倍を超えないように、情報記録媒体のほぼ全域に渡って  所定のウォブル周期Ｔで蛇行した記録トラックがトラックピッチＰでスパイラル状に形成される。
【００２７】
図１に、理想的なＣＬＶ制御時と、ＣＬＶ回転制御に誤差を生じた時の、任意の１０トラックにおけるウォブル信号振幅変動（最大値と最小値の比）の解析結果および実験結果を示す。図１から分かるように、解析結果と実験結果が良く一致しており、かつＣＬＶの回転制御精度がウォブル周期の５％以内の変動に納める事により、ウォブル信号振幅変動を情報記録再生装置でエラーが発生する限界である２．４倍以内に制御出来る事が分かった。また、理論解析の結果、理想的なＣＬＶ制御において、ウォブル信号が最小になるのは、図２（ａ）に示した状態で、ウォブル信号が最大になるのは、図２（ｂ）に示した状態であることが分かった。
【００２８】
また、幾何的な解析の結果、ウォブル信号が最小、最大になる状態は、任意のトラックにおける前記主たるエリアのウォブル位相に対して、隣接する一方のトラックの前記主たるエリアのウォブルの位相差をΔ１、隣接する他方のトラックの前記主たるエリアのウォブルの位相差をΔ２、情報記録媒体のトラックピッチをＰ、ウォブルの周期をＴとした時、それぞれｌΔ１ｌ＋ｌΔ２ｌ＝(２πP/T)×2πrad.   ｌΔ１ｌ＋ｌΔ２ｌ＝(1+２πP/T)×2πrad.で有ることが分かった。従って、理想的なＣＬＶ制御に対して回転制御精度がウォブル周期の５％以内の変動が有る場合は、   ｌΔ１ｌ＋ｌΔ２ｌの値が以下の範囲に制御されており、かつ以下の範囲で制御する事により、ウォブル信号振幅変動を情報記録再生装置でエラーが発生する限界である２．４倍以内に制御出来る事が分かった。
(２πP/T-0.05)×2πrad.≦ｌΔ１ｌ＋ｌΔ２ｌ≦(1+２πP/T+0.05)×2πrad.
【発明の効果】
【００２９】
本発明の情報記録媒体によれば、任意のトラックにおける前記主たるエリアのウォブル位相に対して、隣接する一方のトラックの前記主たるエリアのウォブルの位相差をΔ１、隣接する他方のトラックの前記主たるエリアのウォブルの位相差をΔ２とした時、(２πP/T-0.05)×2πrad.≦ｌΔ１ｌ＋ｌΔ２ｌ≦(1+２πP/T+0.05)×2πrad.の範囲でｌΔ１ｌ＋ｌΔ２ｌの値を制御することにより、比較的ウォブル信号の変動が大きくなりやすい媒体すなわち、ウォブル周期Ｔと記録データのチャネルビット長ｂとの間に、Ｔ＞８０ｂの関係が満たされ、パーシャルレスポンス方式を採用できる媒体であっても、ウォブル信号の振幅変動を情報記録再生装置でエラーが発生する限界である２．４倍以内に制御出来、高密度でかつ高信頼の媒体を実現できる
【００３０】
なお、ウォブルによりアドレスを表記する方式そのものは、本発明の本質では無いので、その詳細な説明は省略するが、本発明の情報記録媒体では、ゾーン内で主たるエリアのウォブルが同位相で構成されているのが必須要件であり、例えば、ＥＣＭＡ−３４９で紹介されているような、ＡＤＩＰ方式が有効である。
【発明を実施するための最良の形態】
【００３１】
以下に、本発明の情報記録媒体及び情報記録再生装置について、図面を参照しながら具体的に説明するが、本発明はこれに限定されない。
【実施例１】
【００３２】
ガラス原盤にｉ線フォトレジストを３０ｎｍの厚みで塗布し、８０℃３０分ベークを行った後、波長３５１ｎｍの原盤露光装置を用い、線速度３．３ｍ／ｓでＣＬＶ回転制御により露光を行った。なお、原盤露光装置は、線速度が３．３ｍ／ｓでＣＬＶ回転制御の精度を最適化し、ＨＤ  ＤＶＤの任意の半径位置において、連続３トラック間の相対誤差を、誤差の無い理想ＣＬＶ回転制御に対して、０．４０μｍ以内になるよう調整した。ウォブル周期が９μｍなので、回転制御誤差を０．４０μｍ以内に抑えることにより、連続３トラックの範囲で理想的なＣＬＶ制御に対して回転制御精度がウォブル周期の４％以内になり、
(２πP/T-0.0５)×2πrad.≦ｌΔ１ｌ＋ｌΔ２ｌ≦(1+２πP/T+0.0５)×2πrad.の条件を満たす事が出来る。
【００３３】
露光条件は、トラックピッチ４００ｎｍ、線速度３．３ｍ／ｓ、ウォブル周期９μm、ウォブル振幅２８ｎｍｐ−ｐとし、ＨＤ  ＤＶＤ―Ｒのフォーマット信号に準じて露光を行った。その後、所定の現像プロセスにより現像を行い、前記露光パターンに対応したスパイラルのウォブルをともなうレジスト露光パターンを形成した。なおその時、露光により形成される溝幅が約２００ｎｍになるよう、原盤露光装置の露光パワーおよび現像条件を調整した。
【００３４】
その後、上記ガラス原盤をもとに所定の電鋳条件でスタンパを作成し、そのスタンパを用いて射出成形によりディスク基板を成形し、所定の反射膜を形成したのち、もう１枚のダミーのディスク基板と貼り合わせる事により、ウォブル振幅変動評価用情報記録媒体を作成した。
【００３５】
また、反射膜は追記型とほぼ同等の反射率を得るため、基板の上に１５ｎｍのアルミ膜を形成した後、屈折率２．３のＳｉＮ膜を９０ｎｍ積層し、さらに５０ｎｍのアルミ膜を形成した。この構成にすることにおり、溝の無いエリアすなわちミラー部で約１０％の反射率となり、追記型ディスクに近い反射率を得ることができ、情報記録再生装置での良好な再生が可能となる。
【００３６】
上記条件にて作成した情報記録媒体を、ＮＡ０．６５、再生レーザ波長４０５ｎｍの情報記録再生装置で再生した所、ウォブル振幅の変動率（ウォブル振幅の最大値と最小値の比）が２．３となり、かつアドレス情報もエラーなく読み取る事が出来た。
【実施例２】
【００３７】
実施例１と同様のレジスト付きガラス原盤を用意し、波長３５１ｎｍの原盤露光装置を用い、線速度３．８ｍ／ｓでＣＬＶ回転制御により露光を行った。なお、原盤露光装置は、線速度が３．３ｍ／ｓでＣＬＶ回転制御の精度を最適化した状態のままであり、計測の結果、線速度３．８ｍ／ｓではＨＤ  ＤＶＤの任意の半径位置において、連続３トラック間の相対誤差を、誤差の無い理想ＣＬＶ回転制御に対して、０．４５μｍ以内となった。ウォブル周期が９μｍなので、回転制御誤差を０．４５μｍ以内に抑えることにより、連続３トラックの範囲で理想的なＣＬＶ制御に対して回転制御精度がウォブル周期の５％以内になり、
(２πP/T-0.0５)×2πrad.≦ｌΔ１ｌ＋ｌΔ２ｌ≦(1+２πP/T+0.0５)×2πrad.の条件を満たす事が出来る。
【００３８】
その後、実施例と同様の方式でウォブル振幅変動評価用情報記録媒体を作成し同様の情報記録再生装置で再生した所、ウォブル振幅の変動率（ウォブル振幅の最大値と最小値の比）が２．４となり、かつアドレス情報もエラーなく読み取る事が出来た。
【００３９】
（比較例）
実施例１と同様のレジスト付きガラス原盤を用意し、波長３５１ｎｍの原盤露光装置を用い、線速度４．４ｍ／ｓでＣＬＶ回転制御により露光を行った。なお、原盤露光装置は、線速度が３．３ｍ／ｓでＣＬＶ回転制御の精度を最適化した状態のままであり、計測の結果、線速度４．４ｍ／ｓではＨＤ  ＤＶＤの任意の半径位置において、連続３トラック間の相対誤差を、誤差の無い理想ＣＬＶ回転制御に対して、０．５０μｍ以内となった。ウォブル周期が９μｍなので、回転制御誤差を０．５０μｍ以内に抑えることにより、連続３トラックの範囲で理想的なＣＬＶ制御に対して回転制御精度がウォブル周期の６％以内になり、
(２πP/T-0.06)×2πrad.≦ｌΔ１ｌ＋ｌΔ２ｌ≦(1+２πP/T+0.06)×2πrad.の範囲でｌΔ１ｌ＋ｌΔ２ｌがばらつき
(２πP/T-0.05)×2πrad.≦ｌΔ１ｌ＋ｌΔ２ｌ≦(1+２πP/T+0.05)×2πrad
の条件を満たす事が出来なかった。
【００４０】
その後、実施例と同様の方式でウォブル振幅変動評価用情報記録媒体を作成し同様の情報記録再生装置で再生した所、ウォブル振幅の変動率（ウォブル振幅の最大値と最小値の比）が２．５となった。一方アドレス情報の検出においては、エラーが発生し、正常な再生動作が出来なかった。
【産業上の利用可能性】
【００４１】
上述のように本発明の情報記録媒体では、ウォブル周期Ｔを記録データのチャネルビット長ｂより十分長くし、具体的には、Ｔ＞８０ｂのなるようなウォブル（パーシャルレスポンス方式を採用し且つＥＴＭ変調を用いる場合のウォブル）を記録トラックに形成した媒体でも、隣接する一方のトラックの前記主たるエリアのウォブルの位相差をΔ１、隣接する他方のトラックの前記主たるエリアのウォブルの位相差をΔ２とした時、(２πP/T-0.05)×2πrad.≦ｌΔ１ｌ＋ｌΔ２ｌ≦(1+２πP/T+0.05)×2πrad.の範囲でｌΔ１ｌ＋ｌΔ２ｌが制御することにより、ウォブル信号の振幅変動を所定の範囲に押さえる事ができ、アドレス情報をエラー無く再生出来る。従って、本発明の情報記録媒体は追記型または書換え型のＨＤ  ＤＶＤに最適である。また、本発明の情報記録再生システムもまた、追記型または書換え型のＨＤ  ＤＶＤの記録再生システムとして最適である。
【図面の簡単な説明】
【００４２】
【図１】図１は、本発明の情報記録媒体の理想ＣＬＶ制御およびそれに対して回転誤差が有る場合のウォブル信号振幅変動の解析値および実験値を示したものである。
【図２】図２は、本発明の情報記録媒体の径方向に隣接するトラック間のウォブル位相の関係を示した図であり、図２（ａ）は理想ＣＬＶ制御で、ウォブル信号が最小となる場合の隣接トラックの位相関係を示した図であり、図２（ｂ）は、理想ＣＬＶ制御で、ウォブル信号が最大となる場合の隣接トラックの位相関係を示した図であり、図３（ｃ）、（ｄ）はＣＬＶ制御誤差が非常に大きい場合、ウォブル信号がそれぞれ最小、最大となる場合の隣接トラックの位相関係を示した図である。。
【図３】図３（ａ）は、実施例１で作製した情報記録媒体のウォブル構成を示した模式図であり、  図３（ｂ）はそれにたいする隣接トラックからのウォブル信号クロストークが無い場合の理想的な再生信号を示した模式図で、図３（ｃ）、図３（ｄ）はそれぞ隣接トラックからクロストークが有る場合の再生信号を示した模式図である。
【図４】図４は、実施例１で作製した情報記録媒体のウォブルデータフォーマットのウォブル構成を示した模式図である。
【符号の説明】
【００４３】
１０，主たるウォブルエリア
１１，主たるエリア以外のウォブルエリア
２１、記録データ
【図１】
2008016123.tif 000003
【図２】
2008016123.tif 000004
【図３】
2008016123.tif 000005
【図４】
2008016123.tif 000006